(57)【要約】【課題】製造コストを低減し、飲料の賞味期間を延長すると共に、その味や鮮度を長時間に維持することができるプラスチック製貯蔵容器を提供する。【解決手段】本考案は、本体と、蓋と、隔離膜とを含む貯蔵容器であって、本体１０は、通気孔１００を有する殻体であり、プラスチック成型によって飲料等を貯蔵するための貯蔵空間１３が成型され、前記殻体に貯蔵空間１３内外を連通する開口が開設されており、蓋４３は、不通気性を有するシート状部材であり、本体１０と結合することにより、前記開口を封止し、前記隔離膜は、不通気性を有する包装フィルム４１、４２であり、前記殻体の貯蔵空間１３の表面に固着されると共に、前記蓋４３と組み合わせることにより、前記貯蔵空間１３内へ進入する空気を遮断し、前記貯蔵空間１３を完全気密に保持することを特徴とする。【選択図】図５
0003147335.tif 000002
【実用新案登録請求の範囲】
【請求項１】
本体と、蓋と、隔離膜とを含む貯蔵容器であって、
前記本体は、通気孔を有する殻体であり、プラスチック成型によって飲料等を貯蔵するための貯蔵空間が成型され、前記殻体に前記貯蔵空間内外を連通する開口が開設されており、
前記蓋は、不通気性を有するシート状部材であり、前記本体と結合することにより、前記開口を封止し、
前記隔離膜は、不通気性を有する包装フィルムであり、前記殻体の貯蔵空間の表面に固着されると共に、前記蓋と組み合わせることにより、前記貯蔵空間内へ進入する空気を遮断し、前記貯蔵空間を完全気密に保持することを特徴とする、プラスチック製貯蔵容器。
【請求項２】
前記殻体は、上部の開口と、胴体と、下部の底部とより構成され、前記胴体と前記底部との間に前記貯蔵空間が形成され、前記胴体の前記開口周縁にエッジ部が外側へ突設され、前記エッジ部は前記蓋と吻合されることを特徴とする、請求項１に記載のプラスチック製貯蔵容器。
【請求項３】
前記胴体と前記底部の外面には、前記包装フィルムをそれぞれ取り付けることを特徴とする、請求項２に記載のプラスチック製貯蔵容器。
【請求項４】
前記胴体の外面と前記底部の内面には、前記包装フィルムをそれぞれ取り付けることを特徴とする、請求項２に記載のプラスチック製貯蔵容器。
【請求項５】
前記胴体の内面と前記底部の外面には、前記包装フィルムをそれぞれ取り付けることを特徴とする、請求項２に記載のプラスチック製貯蔵容器。
【請求項６】
前記胴体の内面と前記底部の内面には、前記包装フィルムをそれぞれ取り付けることを特徴とする、請求項２に記載のプラスチック製貯蔵容器。
【請求項７】
前記胴体と前記底部の表面に取り付けられるそれぞれの前記包装フィルムは、一体成型により構成されることを特徴とする、請求項３乃至６の何れか１項に記載のプラスチック製貯蔵容器。
【考案の詳細な説明】
【技術分野】
【０００１】
本考案は、特に製造コストを低減し、飲料の賞味期間を延長すると共に、その味や鮮度を長時間に保持することができるプラスチック製貯蔵容器に関するものである。
【背景技術】
【０００２】
プラスチック製コップのコーヒー（以下、コップコーヒーと称す）の開発に伴い、缶コーヒーに対する消費者のイメージが変わり、缶コーヒーに対して新しい時代が到来している。最近では、コンビニエンスストアでも簡単にこのコップコーヒーを購入することができるようになっている。
【０００３】
プラスチック製コップは、プラスチック製収容装置の一種であり、図１及び図２に示すように、このようなプラスチック製収容装置は、本体１０と蓋２０とからなり、該本体１０は、ポリプロピレン（ＰＰ）を原料として使用し、上部に開口が形成される胴体１２と、該胴体１２の下部に一体に設けられる底部１１を有することにより、該胴体１２と底部１１の間に飲料を収容できる貯蔵空間１３が形成され、該胴体１２の開口周縁にエッジ部１４が外側へ突設され、該蓋２０が該エッジ部１４と結合することにより、該本体１０を封止することができる。又、該胴体１２の外面に商標のパターン又は図案を印刷する包装フィルム３０が取り付けられている。
【０００４】
図２に示すように、前記ポリプロピレン製の本体１０は飲料を安全に収容することと、低コストを図ることを達成できるが、該胴体１２と底部１１の構造にある程度の通気孔１００が形成され、又、該包装フィルム３０の構造にもある程度の通気孔３００が形成されているので、外部の空気がこれらの通気孔１００、３００を通じて真空状態である貯蔵空間１３へ進入することにより、内部の飲料を酸化してしまい、賞味期間を長時間に延長することができない恐れがある。更に、飲料が酸化してしまうと、該飲料が元の味や鮮度を失ってしまうという問題があった。
【０００５】
故に、台湾特許公開第２００７１１９４５号公報における「優れた遮断性を有する合成樹脂製容器」と台湾特許公開第２００６０２２３４号公報における「高気体に優れた遮断性を有する合成樹脂製容器」などの技術が開発されてきた。しかし、これらの従来技術は、本体１０の原料成分を変更することにより、その効果を達成できるが、該原料のコストがかなり高いため、プラスチック製収容装置の製造コストを低減することは難しいという問題があった。
【特許文献１】台湾特許公開第２００７１１９４５号公報
【特許文献２】台湾特許公開第２００６０２２３４号公報
【考案の開示】
【考案が解決しようとする課題】
【０００６】
そこで、本考案の主な目的は、製造コストを低減し、飲料の賞味期間を延長すると共に、その味と鮮度を長時間維持することができるプラスチック製貯蔵容器を提供することにある。
【課題を解決するための手段】
【０００７】
上記課題を解決するために、本考案は、製造コストが安いプラスチック製貯蔵容器を提供し、該貯蔵容器は、上方に開口を有する貯蔵空間と、該開口を封止するための蓋とを有し、該貯蔵空間の表面に印刷可能な包装フィルムが設けられ、該包装フィルムと蓋は通気孔を有しない積層構造であり、このような構造により、該貯蔵空間が完全気密状態になるので、酸素が該貯蔵空間へ進入することを防止でき、故に、飲料の賞味期間を延長することができると共に、飲料の味と鮮度を維持することができる。
【０００８】
即ち、本考案の請求項１は、本体と、蓋と、隔離膜とを含む貯蔵容器であって、前記本体は、通気孔を有する殻体であり、プラスチック成型によって飲料等を貯蔵するための貯蔵空間が成型され、前記殻体に前記貯蔵空間内外を連通する開口が開設されており、前記蓋は、不通気性を有するシート状部材であり、前記本体と結合することにより、前記開口を封止し、前記隔離膜は、不通気性を有する包装フィルムであり、前記殻体の貯蔵空間の表面に固着されると共に、前記蓋と組み合わせることにより、前記貯蔵空間内へ進入する空気を遮断し、前記貯蔵空間を完全気密に保持することを特徴とする、プラスチック製貯蔵容器である。
【０００９】
本考案の請求項２は、請求項１に記載のプラスチック製貯蔵容器において、前記殻体は、上部の開口と、胴体と、下部の底部とより構成され、前記胴体と前記底部との間に前記貯蔵空間が形成され、前記胴体の前記開口周縁にエッジ部が外側へ突設され、前記エッジ部は前記蓋と吻合されることを特徴とするものである。
【００１０】
本考案の請求項３は、請求項２に記載のプラスチック製貯蔵容器において、前記胴体と前記底部の外面には、前記包装フィルムをそれおぞれ取り付けることを特徴とするものである。
【００１１】
本考案の請求項４は、請求項２に記載のプラスチック製貯蔵容器において、前記胴体の外面と前記底部の内面には、前記包装フィルムをそれぞれ取り付けることを特徴とするものである。
【００１２】
本考案の請求項５は、請求項２に記載のプラスチック製貯蔵容器において、前記胴体の内面と前記底部の外面には、前記包装フィルムをそれぞれ取り付けることを特徴とするものである。
【００１３】
本考案の請求項６は、請求項２に記載のプラスチック製貯蔵容器において、前記胴体の内面と前記底部の内面には、前記包装フィルムをそれぞれ取り付けることを特徴とするものである。
【００１４】
本考案の請求項７は、請求項３乃至６の何れか１項に記載のプラスチック製貯蔵容器において、前記胴体と前記底部の表面に取り付けられるそれぞれの前記包装フィルムは、一体成型により構成されることを特徴とするものである。
【考案の効果】
【００１５】
本考案は上記の課題を解決するものであり、隔離膜（包装フィルム）と蓋が通気孔を有しない積層構造によって、該貯蔵空間を完全気密に保持することができるので、飲料の賞味期間を延長することができると共に、飲料の味や鮮度を維持することができる。
【考案を実施するための最良の形態】
【００１６】
以下、本考案の実施の形態を図面に基づいて説明する。
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【００１７】
図３乃至図５に示すように、本考案に係るプラスチック製貯蔵容器は、通気孔１００を有するポリプロプレン（ＰＰ）製の本体１０と、蓋４３と、隔離膜（包装フィルム）４１、４２とを有し、該本体１０は、上部に開口が形成される胴体１２を有し、該胴体１２の下部に底部１１が設けられ、該胴体１２と底部１１との間に飲料等を貯蔵する貯蔵空間１３が形成され、該胴体１２の開口周縁にエッジ部１４が外側へ突設される。
【００１８】
該蓋４３は、該本体１０のエッジ部１４と吻合することにより、該貯蔵空間１３を封止させ、該蓋４３は、通気孔を有しない積層構造であるので、完全に気密効果を達成できる。
【００１９】
該包装フィルム４１、４２は、通気孔を有しない積層構造であり、該貯蔵空間１３が形成される本体１０の表面に設けられ、前記蓋４３と結合することにより、優れた気密性を有する貯蔵空間１３が形成される。
【００２０】
具体的には、該胴体１２の外面に商標などのパターンや図案を印刷可能な包装フィルム４２が設けられ、該底部１１の外面には該包装フィルム４１が設けられる。
【００２１】
上述したように、本考案は、二枚の包装フィルム４１、４２で本体１０の通気孔１００を封止し、更に、不通気性を有する蓋４３と組み合わせることにより、完全に気密性を達成する貯蔵空間１３が形成され、故に、該蓋４３と包装フィルム４１、４２は、酸素が貯蔵空間１３へ進入することを完全に遮断することができる。これにより、飲料の賞味期間を延長することができると共に、飲料の味や鮮度を維持することができる。
【００２２】
又、本考案は、既設の生産作業線で、図１示すような蓋２０と包装フィルム３０を本考案の蓋４３と包装フィルム４１、４２へ交換するだけで、簡単に優れた気密性を有するプラスチック製収容装置を製造することができる。
【００２３】
又、図６及び図７に示すように、本実施例は、前述した図３に示す実施例と殆ど同一であり、該胴体１２の外面に包装フィルム４２を取り付けており、その相違点は、該包装フィルム４１を該底部１１の内面に取り付けることである。
【００２４】
又、図８に示すように、本実施例は、前述した図３に示す実施例と殆ど同一であり、該底部１１の外面に該包装フィルム４１を取り付けており、その相違点は、該胴体１２の内面に包装フィルム４２を取り付けることである。
【００２５】
図９に示すように、本実施例は、前述した実施例と殆ど同一であり、その相違点は、該胴体１２の内面に該包装フィルム４２を取り付けると共に、該底部１１の内面に該包装フィルム４１を取り付けることである。さらに、図１０と図１１に示すように、本考案に係る包装フィルム４１、４２は、一体成型により構成される。該一体成型により構成された包装フィルム４１、４２は該貯蔵空間１３を有する本体１０の内面又は外面に取り付けられることにより、前記実施例と同様に、優れた気密性を有するプラスチック製貯蔵容器を製造することができる。
【図面の簡単な説明】
【００２６】
【図１】従来のプラスチック製貯蔵容器の解斜視図である。
【図２】従来のプラスチック製貯蔵容器の断面図である。
【図３】本考案に係るプラスチック製貯蔵容器の分解斜視図である。
【図４】本考案に係るプラスチック製貯蔵容器の斜視図である。
【図５】本考案に係るプラスチック製貯蔵容器の断面図である。
【図６】本考案に係るプラスチック製貯蔵容器の実施例２の分解斜視図である。
【図７】本考案に係るプラスチック製貯蔵容器の実施例２の断面図である。
【図８】本考案に係るプラスチック製貯蔵容器の実施例３の分解斜視図である。
【図９】本考案に係るプラスチック製貯蔵容器の実施例４の分解斜視図である。
【図１０】本考案に係るプラスチック製貯蔵容器の実施例５の分解斜視図である。
【図１１】本考案に係るプラスチック製貯蔵容器の実施例６の分解斜視図である。
【符号の説明】
【００２７】
１０    本体（殼体）
１００  通気孔
１１    底部
１２    胴体
１３    貯蔵空間
１４    エッジ部
２０    蓋
３０    包装フィルム
４１    隔離膜（包装フィルム）
４２    隔離膜（包装フィルム）
４３    蓋
【図１】
0003147335.tif 000003
【図２】
0003147335.tif 000004
【図３】
0003147335.tif 000005
【図４】
0003147335.tif 000006
【図５】
0003147335.tif 000007
【図６】
0003147335.tif 000008
【図７】
0003147335.tif 000009
【図８】
0003147335.tif 000010
【図９】
0003147335.tif 000011
【図１０】
0003147335.tif 000012
【図１１】
0003147335.tif 000013